(57)【要約】【課題】この発明は、天井チャンバー方式を採用した室内等の天井面に取り付けられ、下向きに開口した換気口を備える照明器具において、ハウジング及び光源モジュールのサイズを変えることなく換気口の開口面積を可及的に大きくすることができ、かつ、換気口の開口面積を大きくしても当該開口部が目立たず、見映えのよい照明器具を得ることを課題とする。【解決手段】この発明は、天井裏に連通する連通口１３１，１４１を備えたハウジング１の下面開口部１１の縁部に、前記ハウジング下面開口部上方に向けて傾斜させた遮蔽板２を取り付け、前記ハウジング下面開口部１１の前記遮蔽板２と対向する位置に、前記遮蔽板側方向に発光面４１を傾斜させた光源モジュール４を配設し、前記遮蔽板２の光源モジュール側端縁と前記光源モジュール４の遮蔽板側端縁との間に垂直方向に空気が通過できる間隙１０を設けて構成する。【選択図】図１
2013164945.tif 000002
【特許請求の範囲】
【請求項１】
天井裏に連通する連通口を備えたハウジングの下面開口部の縁部に、前記ハウジング下面開口部上方に向けて傾斜させた遮蔽板を取り付け、
前記ハウジング下面開口部の前記遮蔽板と対向する位置に、前記遮蔽板側方向に発光面を傾斜させた光源モジュールを配設し、
前記遮蔽板の光源モジュール側端縁と前記光源モジュールの遮蔽板側端縁との間に垂直方向に空気が通過できる間隙を設けた、
照明器具。
【請求項２】
遮蔽板の光源モジュール側端縁は、光源モジュールから照射される光の照射範囲の上縁よりも上方に位置するようにした、請求項１記載の照明器具。
【請求項３】
連通口は、光源モジュール上方及び遮蔽板の背面側に形成された、請求項１又は２に記載の照明器具。
【請求項４】
光源モジュールは、ＬＥＤモジュールとした、請求項１ないし３の何れか記載の照明器具。
【発明の詳細な説明】
【技術分野】
【０００１】
この発明は、天井チャンバー方式を採用した室内等の天井面に取り付けられる照明器具に関するものである。
【背景技術】
【０００２】
天井チャンバー方式は、天井内を同一空間とし、その空間に排煙・空調ダクトを接続し天井空間を一体のダクトとみなして排煙・空調を行う方式であるが、この天井チャンバー方式を採用した室内等の天井面に取り付けられる照明器具として、従来より、排煙・空調用の開口を備えた照明器具が存在する。
【０００３】
照明器具に設けられる開口は、概ね、（１）ハウジング上面のランプ対向位置に形成されているもの、（２）ハウジング側面において横向きに開口して形成されているもの、（３）通気孔を備えた外ハウジングの内側に間隙を介して内ハウジングを配設することにより下向きに開口して形成されているもの、に大別される。
このうち、前二者は下から見上げたときに開口が目立たないという利点があるものの、ハウジング上面のランプ対向位置に形成した場合には、開口がランプに遮られることから、また、ハウジング側面において横向きに開口するようにして形成した場合には、開口が横向きで室内方向に向いていないことから、それぞれ室内の空気を直接的に換気することができず、換気効率が悪いものとなっている。
他方、後者は開口が下向きに設けられていることから室内の空気を直接的に換気することができる利点があるものの、ハウジングが二重構造となるために装置が大型化するほか、下から見上げたときに開口が目立ち、意匠的に好ましくないという問題がある。
【特許文献１】特開平７−３３５０１８号公報
【特許文献２】特開平１０−１６２６１４号公報
【特許文献３】実開平６−１４８５１号公報
【０００４】
また、オフィスビルなどにおける室内天井は、近年システム化が進み、格子（グリッド）状に組んだＴバーの上に天井仕上材や照明器具、各種防災設備などを載せて構成されるグリッド天井システムを採用したものが増えつつある。
そして、グリッド天井システムにおける各格子のサイズ（グリッドサイズ）は、建築モジュール（柱間隔）に合わせて、６００ｍｍ角（３６００ｍｍモジュール）又は６４０ｍｍ角（３２００ｍｍモジュール）とされるのが一般的であり、グリッド天井システムに使用される照明器具などの設備の外寸は概ねこのグリッドサイズと同サイズにされ、その配設位置もパターン化されている。例えば、３２００ｍｍモジュールの場合には、６４００ｍｍ×６４００ｍｍのスパンに、６４０ｍｍ角サイズの照明器具が８台配設されるのが一般的である（図１０参照）。
すなわち、天井に埋設される照明器具には、グリッド天井システム用の照明器具のように、大きさ（特に平面方向の大きさ）が所定のサイズに制限され、その器具配置についても制限されるものがある。
【０００５】
ここで、天井に埋設して使用する照明器具に換気口を設けて室内の空気を効率よく換気しようとする場合、下向きに開口するとともに、可及的に大きな換気口を設けることが好ましい。
また、排煙口は床面積の１％以上を確保することが一般的な運用となっていることから、室内に他の排煙ダクトを設けず、照明器具に設けられた開口のみを排煙口とする場合には、例えば、６４００ｍｍ×６４００ｍｍのスパンに８台の照明器具配置に限定される３２００ｍｍモジュールにあっては、照明器具１台当たり０．０５２ｍ２（６．４ｍ×６．４ｍ×１％÷８台＝０．０５２ｍ２）以上の開口面積を備えている必要がある。
ところが、グリッド天井システムに使用される照明器具のように外寸サイズが制限される照明器具にあっては、ハウジングのサイズを大きくすることができないので、換気口を大きく形成するためにはハウジング内に配設される光源モジュールのサイズを小さくせざるを得ない。光源モジュールのサイズを小さくすると、照明器具の１台当たりの照度が不足してしまうことから、この照度不足を補うために、使用する照明器具の数を増やさなければならなくなる。
この点、上述したように、例えば、３２００ｍｍモジュールの場合は６４００ｍｍ×６４００ｍｍスパンに８台といったように、照明器具配置が制限されるグリッド天井システムにあっては、照明器具の数を増やすことができない。
また、ハウジングのサイズを変えずに光源モジュールを小型化して大きな換気口を照明器具の下面に形成した場合には、下方から見上げた場合に換気口が目立ち、見映えが悪いという問題もある。
【発明の開示】
【発明が解決しようとする課題】
【０００６】
この発明は、天井チャンバー方式を採用した室内等の天井面に取り付けられ、下向きに開口した換気口を備える照明器具において、ハウジング及び光源モジュールのサイズを変えることなく換気口の開口面積を可及的に大きくすることができ、かつ、換気口の開口面積を大きくしても当該開口部が目立たず、見映えのよい照明器具を得ることを課題とする。
【課題を解決するための手段】
【０００７】
この発明の照明器具は、天井裏に連通する連通口を備えたハウジングの下面開口部の縁部に、前記ハウジング下面開口部上方に向けて傾斜させた遮蔽板を取り付け、前記ハウジング下面開口部の前記遮蔽板と対向する位置に、前記遮蔽板側方向に発光面を傾斜させた光源モジュールを配設し、前記遮蔽板の光源モジュール側端縁と前記光源モジュールの遮蔽板側端縁との間に垂直方向に空気が通過できる間隙を設けて構成する。
【０００８】
前記ハウジングは、天井に埋設されたときに天井裏と連通する連通口が形成されているとともに、下面に開口部を備え、この開口部に光源モジュールを収容できる形状のものであればよい。このハウジングの形状として、例えば、下面が開口した直方体形状のものや円柱形状のもの、あるいは半球形状のものやドーム形状のものなどが考えられるが、これらに限られるものではない。
また、前記ハウジングの下面に形成される開口部は、任意の形状に形成することができ、下面全体に形成しても部分的に形成してもよい。前記開口部をハウジングの下面に部分的に形成した場合には、一つだけ形成しても複数形成してもよい。
【０００９】
前記遮蔽板は、照明器具を下から見上げたときにハウジング内部を見えにくくするとともに、光源モジュールから照射される光を下方に反射させる機能を有する。この遮蔽板は、ハウジング下面開口部の縁部に、この下面開口部上方に向けて傾斜させて取り付けてあればよく、開口部の縁部に部分的に取り付けても、開口部全体を取り囲むようにして縁部全体に取り付けてもよい。
また、この遮蔽板の傾斜角度は適宜選択できるが、遮蔽板の光源モジュール側端縁は、前記光源モジュールから照射される光の照射範囲の上縁よりも上方に位置するようにするのが好ましい（請求項２）。
【００１０】
前記光源モジュールは、発光ダイオード（ＬＥＤ）や蛍光灯などの各種光源を適宜数、基板や筐体などの支持体に取り付けて所定方向に光が照射されるように構成されたものであればよく、箱状、棒状、円盤状、環状など種々の形状に形成された光源モジュールを用いることができるが、ＬＥＤモジュールを用いるのが好ましい（請求項４）。
この光源モジュールは、発光面を遮蔽板側に傾斜させて配設されている。この傾斜角度は適宜選択できるが、下方への光の照射範囲を考慮すれば、１０度ないし２０度の範囲で選択するのが好ましい。
【００１１】
前記遮蔽板の光源モジュール側端縁と前記光源モジュールの遮蔽板側端縁との間には垂直方向に空気が通過できるように間隙を設けてある。垂直方向に空気が通過できる間隙は、前記遮蔽板と前記光源モジュールとが上下に重なり合う部分ができないように、遮蔽板の光源モジュール側端縁と光源モジュールの遮蔽板側端縁とを水平方向に離隔して設けたものであり、この間隙が下向きに開口した通気口として機能するものである。
【００１２】
ハウジングに形成される連通口は、ハウジングの光源モジュール上方及び遮蔽板の背面側に形成することが好ましい（請求項３）。
【発明の効果】
【００１３】
この発明によれば、ハウジングの下面開口部の縁部に、遮蔽板を前記ハウジング下面開口部上方に向けて傾斜させて取り付け、前記ハウジング下面開口部内側の前記遮蔽板と対向する位置に、光源モジュールを前記遮蔽板側に発光面を傾斜させて配設し、前記遮蔽板の光源モジュール側端縁と前記光源モジュールの遮蔽板側端縁との間に垂直方向に空気が通過できる間隙を設けたので、ハウジング及び光源モジュールのサイズを変えることなく、可及的に大きな開口面積を備えた下向きに開口した通気口を照明器具のハウジング内に構成することができる。
すなわち、遮蔽板と光源モジュールとをそれぞれハウジング内部方向に向けて対向するようにして傾斜させることにより、遮蔽板と光源モジュールとをいわば観音開き状に配設して下向きに開口した通気口をハウジング内に構成することができるので、光源モジュールを水平に配設した場合と比較して、光源モジュール及び遮蔽板の傾斜分に応じて可及的に大きな開口面積を得ることができる。
【００１４】
そして、この通気口は照明器具のハウジング内部に形成され、照明器具のハウジング下面開口部には遮蔽板と光源モジュールとで通気口に向かう傾斜面が構成されているので、照明器具を斜め下方向から見上げたときには主として遮蔽板や光源モジュールが視認され、通気口はほとんど視認されない。また、点灯時には、光源モジュールから照射される光の一部が遮蔽板に反射して下方に照射されるので、通気口を挟む形で両側から光が下方に照射されることとなり、照明器具を真下から見上げた場合にも開口部が可及的に目立たないようにすることができる。
【００１５】
さらには、遮蔽板と光源モジュールとで通気口に向かって構成された傾斜面により、排気時には、照明器具下方のより広範囲の空気を通気口に案内することができ、排気効率を向上させることができる。
【００１６】
請求項２の発明によれば、遮蔽板の光源モジュール側端縁は、光源モジュールから照射される光の照射範囲の上縁よりも上方に位置するようにしたので、光源モジュールから照射される光がハウジング内に漏れることがなく、無駄なく光を下方に反射させることができる。
【００１７】
請求項３の発明によれば、ハウジングに形成される連通口は、ハウジングの光源モジュール上方及び遮蔽板の背面側に形成したので、光源モジュール及び遮蔽板が目隠しとなり、照明器具の下方から見上げたときにハウジングに形成された連通口が視認されることを防ぐことができる。
【００１８】
請求項４の発明によれば、光源モジュールとしてＬＥＤモジュールを用いたので、指向性の強い光を斜め下方向に配光することができ、３２００ｍｍモジュールにおける照明器具配置（６４００ｍｍ×６４００ｍｍスパンに８台設置）で使用した場合に、室内における照度の粗密を解消することができる。
【図面の簡単な説明】
【００１９】
【図１】この発明の実施例の概要を示す縦断面図（Ａ−Ａ断面図）
【図２】同じく配光制御及び通気特性を説明する図
【図３】同じく平面図
【図４】同じく底面図
【図５】同じく正面図
【図６】同じく側面図
【図７】同じく底面側斜視図
【図８】この発明の実施例に使用される化粧フレームの斜視図
【図９】同じく化粧フレームの着脱方法を示す図
【図１０】３２００ｍｍモジュール（６４００ｍｍ×６４００ｍｍスパン）での照明器具配置を示す図
【発明を実施するための形態】
【００２０】
この発明の照明器具を図１ないし図９を用いて説明する。
この実施例の照明器具は、３２００ｍｍモジュールのグリッド天井システム用の６４０ｍｍ角サイズの照明器具である。
略四角形の箱状に構成された照明器具のハウジング１の下面両側には、それぞれ長方形の開口部１１が設備プレート１２を挟んで対称位置に形成されている。この実施例において、設備プレート１２を挟んだ両側における構成は対称のものであるから、以下一方の側についてのみ説明するものとする。
【００２１】
開口部１１のハウジング側壁側端縁１１１には、開口部１１の内側上方に向かって水平面から５３．３度傾斜した遮蔽板２が取り付けられており、遮蔽板２の上端には垂直方向に延びる目隠し板３が連設されている。
開口部１１内の遮蔽板２と対向する位置には、ＬＥＤモジュール４（株式会社遠藤照明製ＬＥＤモジュールＧＨＰ２４Ｍ−４０Ｂ）が発光面４１を遮蔽板２側に水平面から１５度傾斜させた状態で、つり下げ具５によってハウジング１内につり下げ固定されている。ＬＥＤモジュール４の遮蔽板側には、光源モジュール用化粧カバー６が取り付けられている。
【００２２】
ここで、目隠し板３が連設された遮蔽板２と光源モジュール用化粧カバー６とは、化粧フレーム７として一体的に形成されている（図８参照）。すなわち、遮蔽板２に連設された目隠し板３の両側にはそれぞれ側板７１，７２が連設され、目隠し板３と対向する位置にはハウジング下面開口部１１の設備プレート側端縁１１２に化粧フレーム７を係止するための係止爪７３を備えた目隠し板７４が側板７１，７２に取り付けられている。そして、側板７１，７２の間には光源モジュール用化粧カバー６が架け渡して取り付けてある。さらに、遮蔽板２の下端には取り付け部材７５を介してキックバネ８が取り付けてある。
この化粧フレーム７は、キックバネ８の両端をハウジング１の側壁１４に設けられた受け部１５に取り付けた状態で、係止爪７３をハウジング１の設備プレート側側壁１６に形成された係止孔１６１に差し込み、次いで遮蔽板２側を上方に押し上げてキックバネ８の弾性力を働かせることによって、遮蔽板２をハウジング側壁側端縁１１１に付勢して着脱可能に取り付けてある。
また、この化粧フレーム７の内側には、略三角形状のルーバー９が複数等間隔に配設されたルーバーフレーム９１が着脱可能に取り付けられており、遮蔽板２と密接するようにして取り付けられたルーバーフレーム９１の遮蔽板側が遮蔽板２と同等の機能を発揮するように構成されている（図２参照）。この実施例においては、ルーバーフレーム９１がグレア防止のために取り付けられているが、不要な場合には化粧フレーム７にルーバーフレーム９１を取り付けずに使用することもできる。
【００２３】
この実施例において、遮蔽板２並びに光源モジュール用化粧カバー６は上記のように化粧フレーム７として一体的に構成し、開口部１１に着脱可能に取り付けてあるが、このように構成したのは、メンテナンス時やＬＥＤモジュール交換時などにおいて、照明器具本体を取り外すことなく下方から容易に作業を行えるようにするためである。このような作業について配慮する必要がない場合などには、遮蔽板２並びに光源モジュール化粧カバー６は、それぞれ個別に設けて直接ハウジング側壁側端縁１１１並びにＬＥＤモジュール４に取り付けるものとしてもよい。
【００２４】
ＬＥＤモジュール４と遮蔽板２との間には、ＬＥＤモジュール４と遮蔽板２とが上下に重なり合う部分ができないようにして間隙１０が設けられており、この間隙１０を空気が垂直方向に通過できるようになっている。すなわち、この間隙１０が下向きに開口した通気口として機能するものである。
この実施例においては、間隙１０の幅（遮蔽板２の上端とＬＥＤモジュール４の遮蔽板側端縁との間の距離）は４４ｍｍとしてあり、照明器具１台当たりの開口面積が０．０５２ｍ２となるように形成されている。
【００２５】
また、遮蔽板２の上端は、ＬＥＤモジュール４の発光面４１の延長線上に位置するように設けられている。この遮蔽板２の上端がＬＥＤモジュール４から照射される光の照射範囲の上端よりも上方にあるので、ＬＥＤモジュール４から照射される光が遮蔽板２を超えてハウジング１内に漏れることがなく、遮蔽板２方向に照射される光を無駄なく下方に反射させることができる。
【００２６】
間隙１０は照明器具のハウジング１内部に形成されるとともに、照明器具のハウジング下面開口部１１には遮蔽板２とＬＥＤモジュール４とで間隙１０に向かう傾斜面が構成されているので、照明器具を斜め下方向から見上げると、主として遮蔽板２やＬＥＤモジュール４が視認されることとなり、間隙１０は視認されにくい。
また、点灯時には、ＬＥＤモジュール４から照射される光の一部が遮蔽板２に反射して下方に照射されるので、間隙１０を挟む形でＬＥＤモジュール４の発光面４１と遮蔽板２の両側から光が下方に照射されることとなり、照明器具を真下から見上げた場合にも間隙１０が可及的に目立たないようになっている。
【００２７】
ハウジング１の上面１３のＬＥＤモジュール４の上方には天井裏と連通する連通口１３１が形成され、ハウジング側壁１４の遮蔽板２の背面側にも天井裏と連通する連通口１４１が形成されている。連通口１３１、１４１をこのように配設したことにより、照明器具を下方から見上げた場合に、連通口１３１はＬＥＤモジュール４及び光源モジュール用化粧カバー６に遮られ、連通口１４１は遮蔽板２及び目隠し板３に遮られることとなり、何れも視認されるおそれがない。
また、光源モジュール用化粧カバー６はＬＥＤモジュール４の遮蔽板側側面を覆うようにして配設されているので、ＬＥＤモジュール４から側面側に光が漏れることがなく、間隙１０が漏れた光に照らされ目立ってしまうことを防ぐことができる。
【００２８】
ハウジング１の上面１３並びに側壁１４にはそれぞれ連通口１３１並びに１４１が形成され、遮蔽板２とＬＥＤモジュール４との間には水平方向の幅を有する間隙１０が形成されているので、室内から天井裏に通じる空気の流路が照明器具内に構成されることとなる。
そして、遮蔽板２とＬＥＤモジュール４は、それぞれ間隙１０から下方に向かって拡がるように傾斜していることから、排気時において、開口部１０下方の広い範囲の空気を間隙１０方向へ案内することができ、間隙１０において垂直方向に空気が通過した後、連通口１３１方向と連通口１４１方向とに分岐してこれを天井裏に排出することができる。
【００２９】
ここで、ＬＥＤモジュール４の上方並びに遮蔽板２の背面側には広い空間が形成されており、ＬＥＤモジュール４及び遮蔽板２によって大きく通気が妨げられるおそれもない。
また、電源Ｐは、空気の流路となるＬＥＤモジュール４の上方の広い空間内に配設されているので、ここを流れる空気を電源Ｐの冷却に利用することもできる。
【００３０】
さらに、光源モジュールとして指向性の強い光を発するＬＥＤモジュールを用い、これを傾斜させて配設したことにより、照明器具からの配光を照明器具の斜め下方に向けることができるので、この実施例の照明器具を３２００ｍｍモジュールの照明器具配置（６４００ｍｍ×６４００ｍｍスパンに８台設置（図１０参照）。）に設置した場合には、室内の照度の粗密を減少させることもできる。すなわち、３２００ｍｍモジュールにおける照明器具配置には粗密があり、これに応じて室内の照度にも粗密が生じるところ、照明器具からの配光を照明器具の斜め下方に向けることによって、従来照度が粗となっていた位置にも光を照射することができる。
【産業上の利用可能性】
【００３１】
この発明は、天井チャンバー方式を採用した室内等の天井面に取り付けられる照明器具に関するものであり、産業上の利用可能性を有するものである。
【符号の説明】
【００３２】
１    ハウジング
１１  下面開口部
１１１  側壁側端縁
１１２  設備プレート側端縁
１２  設備プレート
１３  上面
１３１  連通口
１４  側壁
１４１  連通口
１５  キックバネ受け部
１６  設備プレート側側壁
２    遮蔽板
３    目隠し板
４    ＬＥＤモジュール
４１  発光面
５   つり下げ具
６  光源モジュール用化粧カバー
７  化粧フレーム
７１，７２  側板
７３  係止爪
７４  目隠し板
８  キックバネ
９  ルーバー
９１  ルーバーフレーム
１０  間隙
Ｐ  電源
【図１】
2013164945.tif 000003
【図２】
2013164945.tif 000004
【図３】
2013164945.tif 000005
【図４】
2013164945.tif 000006
【図５】
2013164945.tif 000007
【図６】
2013164945.tif 000008
【図７】
2013164945.tif 000009
【図８】
2013164945.tif 000010
【図９】
2013164945.tif 000011
【図１０】
2013164945.tif 000012